(57)【要約】【課題】  給水部を下に、操作部を上に配置できるようにした飲料抽出機の給水方法および装置を提供する。【解決手段】  飲料抽出機の上側に設けられた操作・表示部と、その下側に設けられた格納部屋と、格納部屋に出入り可能に収納され、手前側に車輪を持った台車と、該台車にタンクを着脱可能に装填されたタンクが設けられる。台車の荷重を格納部屋の底板に伝えるよう台車の下面後方に設けられ、滑り性に秀れた材料からなる溝形鋼状片からなる台車側ガイドと、台車側ガイドに摺動自在に係合するよう格納部屋の底板に設けられ、出入り方向に長い格納部屋側ガイドと、台車の給水口と機本体に設けたヒーター側の注湯管との間に接続された可撓給水管とが設けられる。【選択図】        図２
2005192664.tif 000002
【特許請求の範囲】
【請求項１】
飲料抽出機の上側に操作・表示部、その下側に格納部屋を設け、該格納部屋に台を出入り可能に収納し、該台にタンクを着脱可能に装填し、台の給水口と機本体側のヒーター側の注湯管との間に可撓給水管を接続することを特徴とする飲料抽出機の給水方法。
【請求項２】
飲料抽出機の上側に操作・表示部、その下側に格納部屋を設け、前記操作・表示部の側方に抽出部を設け、前記格納部屋に台を出入り可能に収納し、該台にタンクを着脱可能に装填し、台の給水口と機本体に設けたヒーター側の注湯管との間に可撓給水管を接続し、前記注湯管を前記抽出部に導き、かつ、前記可撓給水管とヒーターとの間に水逃し管を接続して前記抽出部に導くことを特徴とする飲料抽出機の給水方法。
【請求項３】
飲料抽出機の上側に設けられた操作・表示部と、その下側に設けられた格納部屋と、
格納部屋に出入り可能に収納され、手前側に車輪を持った台車と、
該台車にタンクを着脱可能に装填されたタンクと、
台車の荷重を格納部屋の底板に伝えるよう台車の下面後方に設けられ、滑り性に秀れた材料からなる溝形鋼状片からなる台車側ガイドと、
台車側ガイドに摺動自在に係合するよう格納部屋の底板に設けられ、出入り方向に長い格納部屋側ガイドと、
台車の給水口と機本体に設けたヒーター側の注湯管との間に接続された可撓給水管と、
を含むことを特徴とする飲料抽出機の給水装置。
【請求項４】
飲料抽出機の上側に設けられた操作・表示部と、その下側に設けられた格納部屋と、
格納部屋に出入り可能に収納され、手前側に車輪を持った台車と、
該台車にタンクを着脱可能に装填されたタンクと、
台車の荷重を格納部屋の底板に伝えるよう台車の下面後方に設けられ、滑り性に秀れた材料からなる溝形鋼状片からなる台車側ガイドと、
台車側ガイドに摺動自在に係合するよう格納部屋の底板に設けられ、出入り方向に長い格納部屋側ガイドと、
台車の給水口と機本体に設けたヒーター側の注湯管との間に接続された可撓給水管と、
該可撓給水管とヒーターとの間に接続されて、前記抽出部に導かれた水逃し管とを含むことを特徴とする飲料抽出機の給水装置。
【請求項５】
前記台車は、
タンクが着脱可能となった凹所を持ち、その底に給水口が開口し、タンク底の弁を開く作動片を持つ、上側開口した矩形箱状本体と、
台車を格納部屋から引き出すために操作者の手を掛ける手掛けを持って、前記本体の前面から下方に垂下した前垂れ部と、
床板が前垂れ部付近から本体の後方に至るまで水平に展延した車体部と、
床板の前部下側に設けられ、抽出機の設置面を転動可能な前車輪と、
天井板と床板の左右端間に取り付けられた側板と、
とを含むことを特徴とする請求項３または４記載の飲料抽出機の給水装置。
【請求項６】
前記格納部屋側ガイドの前端から前方へＴ字状に張り出し、台車が最前位置で前記台車側ガイドが当接するようにしたストッパーとを含むことを特徴とする請求項５記載の飲料抽出機の給水装置。
【請求項７】
前記台車本体の下面に取り付けられ、該本体の後方に至るまで水平に展延し天井板と、
天井板の後端に設けられた後車輪と、
格納部屋の左右側壁に設けられ、後車輪を受けるように前後に長い溝型鋼状の凹条のサイドガイドとを含むことを特徴とする請求項５記載の飲料抽出機の給水装置。
【請求項８】
格納部屋の左右側壁間に取り付けられ、部屋後部から前方に部屋前部で間隔を存した位置までほぼ水平に展延し、ほぼ中央から前部において左右端に間隔が残された上棚板と、
上棚板の下側で、本体側ガイドから間隔を存して上側で、格納部屋の左右側壁間に取り付けられ、部屋後部から前方に部屋前部で間隔を存した位置までほぼ水平に展延し、ほぼ中央から前部において左右端に間隔が残された下棚板とを含むことを特徴とする請求項５記載の飲料抽出機の給水装置。
【発明の詳細な説明】
【技術分野】
【０００１】
本発明は、飲料抽出機の給水方法および装置に関するものである。
【背景技術】
【０００２】
従来の飲料抽出機においては、給水タンクを収容する部屋の下側に電気・電子操作部が設けられていた。
【発明の開示】
【発明が解決しようとする課題】
【０００３】
従って、給水タンクの着脱操作や給水配管などからの水漏れ現象により、電気・電子操作部に悪影響を及ぼす恐れがあった。また、操作部が下部にあったので、使用者の抽出機の運転操作がしにくかった。
本発明は上記課題を解決し、給水部を下に、操作部を上に配置できるようにした飲料抽出機の給水方法および装置を提供する。
【課題を解決するための手段】
【０００４】
本発明方法の第１は、飲料抽出機の上側に操作・表示部、その下側に格納部屋を設け、該格納部屋に台を出入り可能に収納し、該台にタンクを着脱可能に装填し、台の給水口と機本体側のヒーター側の注湯管との間に可撓給水管を接続することを特徴としている。
【０００５】
本発明方法の第２は、飲料抽出機の上側に操作・表示部、その下側に格納部屋を設け、前記操作・表示部の側方に抽出部を設け、前記格納部屋に台を出入り可能に収納し、該台にタンクを着脱可能に装填し、台の給水口と機本体に設けたヒーター側の注湯管との間に可撓給水管を接続し、前記注湯管を前記抽出部に導き、かつ、前記可撓給水管とヒーターとの間に水逃し管を接続して前記抽出部に導くことを特徴としている。
【０００６】
本発明装置の第１は、飲料抽出機の上側に設けられた操作・表示部と、その下側に設けられた格納部屋と、格納部屋に出入り可能に収納され、手前側に車輪を持った台車と、該台車にタンクを着脱可能に装填されたタンクと、台車の荷重を格納部屋の底板に伝えるよう台車の下面後方に設けられ、滑り性に秀れた材料からなる溝形鋼状片からなる台車側ガイドと、台車側ガイドに摺動自在に係合するよう格納部屋の底板に設けられ、出入り方向に長い格納部屋側ガイドと、台車の給水口と機本体に設けたヒーター側の注湯管との間に接続された可撓給水管とを含むことを特徴としている。
【０００７】
本発明装置の第２は、飲料抽出機の上側に設けられた操作・表示部と、その下側に設けられた格納部屋と、格納部屋に出入り可能に収納され、手前側に車輪を持った台車と、該台車にタンクを着脱可能に装填されたタンクと、台車の荷重を格納部屋の底板に伝えるよう台車の下面後方に設けられ、滑り性に秀れた材料からなる溝形鋼状片からなる台車側ガイドと、台車側ガイドに摺動自在に係合するよう格納部屋の底板に設けられ、出入り方向に長い格納部屋側ガイドと、台車の給水口と機本体に設けたヒーター側の注湯管との間に接続された可撓給水管と、該可撓給水管とヒーターとの間に接続されて、前記抽出部に導かれた水逃し管とを含むことを特徴としている。
【０００８】
本発明装置の第３は、装置の第１または第２に加え、前記台車は、タンクが着脱可能となった凹所を持ち、その底に給水口が開口し、タンク底の弁を開く作動片を持つ、上側開口した矩形箱状本体と、台車を格納部屋から引き出すために操作者の手を掛ける手掛けを持って、前記本体の前面から下方に垂下した前垂れ部と、床板が前垂れ部付近から本体の後方に至るまで水平に展延した車体部と、床板の前部下側に設けられ、抽出機の設置面を転動可能な前車輪と、天井板と床板の左右端間に取り付けられた側板とを含むことを特徴としている。
【０００９】
本発明装置の第４は、装置の第３に加え、前記格納部屋側ガイドの前端から前方へＴ字状に張り出し、台車が最前位置で前記台車側ガイドが当接するようにしたストッパーとを含むことを特徴としている。
【００１０】
本発明装置の第５は、装置の第３に加え、前記台車本体の下面に取り付けられ、該本体の後方に至るまで水平に展延し天井板と、天井板の後端に設けられた後車輪と、格納部屋の左右側壁に設けられ、後車輪を受けるように前後に長い溝型鋼状の凹条のサイドガイドとを含むことを特徴としている。
【００１１】
本発明装置の第６は、装置の第３に加え、格納部屋の左右側壁間に取り付けられ、部屋後部から前方に部屋前部で間隔を存した位置までほぼ水平に展延し、ほぼ中央から前部において左右端に間隔が残された上棚板と、上棚板の下側で、本体側ガイドから間隔を存して上側で、格納部屋の左右側壁間に取り付けられ、部屋後部から前方に部屋前部で間隔を存した位置までほぼ水平に展延し、ほぼ中央から前部において左右端に間隔が残された下棚板とを含むことを特徴としている。
【発明の効果】
【００１２】
本発明では操作部が上部にあるので、下部にある給水タンクの着脱操作や給水配管などからの水漏れがあっても、電気・電子操作部に悪影響を及ぼすことはない。また、操作部が見やすくなり、使用者の抽出機の運転操作が楽になった。
【発明を実施するための最良の形態】
【００１３】
以下に本発明の実施態様を図面に示す一実施例にもとづき説明する。図１において、飲料抽出機は左上側の操作部・表示部Ａ１、その下側にある給水部Ａ２、右上側の抽出部Ａ３、その下側にあるポット側面案内壁Ａ４、その下側の台座Ａ５からなる。台座に保温ポットＢが載置される。
【００１４】
図２において、給水部Ａ２は格納部屋２０にタンクＴと台車１０が収納されてなる。
その大要は、前記格納部屋２０に台車１０を出入り可能に収納し、該台車にタンクＴを着脱可能に装填している。台車の給水口と機本体に設けたヒーター２側の注湯管３との間に可撓給水管１を接続する。前記注湯管３を前記抽出部Ａ３に導き、かつ、前記可撓給水管１とヒーター２との間に水逃し管４を接続して前記抽出部Ａ３に導く（これらの配管の詳細は図８で後述）。
【００１５】
図３，４に示す台車１０において、上側開口した矩形箱状本体１１はタンクＴが着脱可能となった凹所１１ａを持ち、底にはタンク底の弁を開く作動片１１ｃを持つ給水口１１ｂがある。本体の前面から下方に垂下した前垂れ部１２には、台車１０を格納部屋２０から引き出すために操作者の手を掛ける手掛け１２ａが設けられる。
【００１６】
車体部１３は、前垂れ部１２付近から後方に至るまで水平に展延し、左右端に下方への屈曲部がある床板１３ａを持つ。床板１３ａの前部下側にゴム製前車輪１４が設けられ、抽出機の設置面を転動可能である。床板１３ａの後部下側に台車側ガイド１５が設けられ、滑り性に秀れた合成樹脂材料からなる溝形鋼状片からなる。
【００１７】
台車本体１１の下面に天井板１６取り付けられ、本体の後方に至るまで水平に展延し、その後端に後車輪１７が設けられる。側板１８は天井板１６と床板１３ａの左右端間に取り付けられて空間を構成し、この空間には、台車１０が格納されたとき、後記する上棚板２４，下棚板２５およびヒーター２が収容される。
【００１８】
図５，６，７において、格納部屋２０は次のように構成される。
本体側ガイド２１は機底２６の上面に設けられ、溝型鋼状の凸条を呈する。ストッパー２２は、ガイド２１の前端から前方へＴ字状に張り出し、台車が最前位置で前記台車側ガイド１５が当接するようにされている。  サイドガイド２３は部屋左右側壁２７に設けられ、後車輪１７を受けるように前後に長い溝型鋼状の凹条である。
【００１９】
上棚板２４は、部屋左右側壁間に取り付けられ、部屋後部から前方に部屋前部で間隔を存した位置までほぼ水平に展延し、ほぼ中央から前部において左右端に間隔が残されている。下棚板２５は、上棚板の下側で、本体側ガイド２０から間隔を存して上側で、部屋左右側壁間に取り付けられ、部屋後部から前方に部屋前部で間隔を存した位置までほぼ水平に展延し、前端で上方に屈曲された直立板部を持ち、ほぼ中央から前部において左右端に間隔が残されている。これらの板２４，２５の前記間隔の間に、前記台車の側板１８が進入する。
【００２０】
ここで図８に示すように、配管は次のようにされる。タンクＴから伸びた可撓給水管１が上棚板２４の上に載り、そこから抽出部側（図８の下方）に方向転換し、第１逆止弁６ａを経て、水位取出管５が接続されて上方に導かれる。そして、この管５の内側に水位検出用のフロート（図示省略）が収容されている。次いで、第２逆止弁６ｂを過ぎた部分に、水逃し管４が接続されて上方に導かれ、抽出部の被抽出部チャンバー（図示省略）の上方に開口する。
【００２１】
また、第２逆止弁６ｂを過ぎた部分に注湯管３が接続され、上棚板２４の下側に回り込んで下棚板２５の上で、ヒーター２に接続される。そして、そこから抽出部側に方向転換し、更に、上方に導かれて、抽出部に開口する。ここで、前記第１，第２逆止弁６ａ，６ｂは、タンクＴから水が出て行く方向に開，逆方向に閉の状態である。また、前記水逃し管４は、注湯管３が詰まったりしたときに、圧力上昇により配管の破損事故などを未然に防ぐ。
【００２２】
以上において、使用（作動）状態を説明する。タンクＴの台車１０への脱着は次のようになされる。台車の手掛け１２ａに使用者の手が掛けられ、タンクＴを載せた台車が前方へ引き出される。前車輪１４はゴム製であるから、左右に滑ることなくスムーズに静かに抽出機設置面を転動し、台車側ガイド片１５が機本体側のガイド２１の上を、上下左右に位置規制されながら滑って行く。後車輪１７は部屋のサイドガイド２３上を転動して行き、台車のスムーズな動きに寄与する。そして、台車の最前位置ではガイド片１５がストッパー２２に当たり、部屋からの抜け出しが阻止される。このとき、後車輪１７はサイドガイド２３の前端付近に位置する（図５の仮想線示）。
【００２３】
この状態では、タンクＴは抽出機Ａ前面よりも僅かに前方に位置するので、タンクＴは使用者により上方に抜き出される。そして、新しいタンクが台車本体の凹所１１ａに挿入される。このとき、タンク下部の弁は台車側の作動片１１ｃに係合して弁は開放され、可撓給水管１に水が充満する。
【００２４】
次に、タンクＴ、台車１０を格納部屋２０に入れるとき、手掛け１２ａを握って台車を押し入れて行くと、台車側ガイド片１５がストッパー２２から離れて再び本体側ガイド２１の上を滑って行き、台車の前垂れ部１２の下部がストッパー２２の前端に当たって位置決めされる。
【００２５】
なお、台車１０の代わりに、タンクＴを着脱自在とした台が前下部分で、格納部屋の左右側壁２７に設けた軸を介して、手前に傾倒可能に格納部屋２０に収納できるようにしてもよい。傾けた状態でタンクが台から着脱される。
【００２６】
本発明は前記した実施例や実施態様に限定されず、特許請求の範囲および範囲を逸脱せずに種々の変形を含む。
【産業上の利用可能性】
【００２７】
本発明の方法および装置は、飲料抽出機の給水に利用される。
【図面の簡単な説明】
【００２８】
【図１】本発明の一実施例の全体正面図である。
【図２】図１のＹ２−Ｙ２拡大断面図である。
【図３】図２の要部（台車）の断面図である。
【図４】図３のＹ４−Ｙ４断面図である。
【図５】図２の要部（格納部屋）の断面図である。
【図６】図５のＹ６−Ｙ６断面図である。
【図７】図５のＹ７−Ｙ７断面図である。
【図８】図７に対応した配管の説明図である。
【符号の説明】
【００２９】
Ａ  飲料抽出機
Ａ１  操作部
Ａ２  給水部
Ａ３  抽出部
Ａ４  ポット側面案内壁
Ａ５  台座
Ｂ  保温ポット
Ｔ  タンク
１  可撓給水管
２  ヒーター
３  注湯管
４  水逃し管
５  水位取出管
６ａ  第１逆止弁
６ｂ  第２逆止弁
１０  台車
１１  台車本体
１１ａ  凹所
１１ｂ  給水口
１１ｃ  作動片
１２  前垂部
１２ａ  手掛け
１３  車体部
１３ａ  床板
１４  前車輪
１５  台車側ガイド
１６  天井板
１７  後車輪
１８側板
２０  格納部屋
２１  本体側ガイド
２２  ストッパー
２３  サイドガイド
２４  上棚板
２５  下棚板
２６  機底
２７  側壁
【図１】
2005192664.tif 000003
【図２】
2005192664.tif 000004
【図３】
2005192664.tif 000005
【図４】
2005192664.tif 000006
【図５】
2005192664.tif 000007
【図６】
2005192664.tif 000008
【図７】
2005192664.tif 000009
【図８】
2005192664.tif 000010